(57)【要約】      （修正有）【課題】電気モジュールを具えたコネクタの提供。【解決手段】絶縁シート１の取り付け空間１２内に端子シート２が収容され、端子シートの前方に湾曲状を呈する複数の接続端子２１が通され、且つ接続端子の湾曲端２１１が絶縁シート前方の接続空間内に収容され、端子シートにフレーム３が位置決めされ、且つ端子シートとフレーム間に収容空間５が形成されて該収容空間に電気モジュール４が収容され、電気モジュールが収容空間に収容された後に、樹脂が注入されて電気モジュールが強固に位置決めされ、並びにフレームにより保護と固定の機能が達成される。【選択図】図２
0003103954.tif 000002
【実用新案登録請求の範囲】
【請求項１】
絶縁シートの取り付け空間内に端子シートが収容され、端子シートの前方に湾曲状を呈する複数の接続端子が通され、且つ接続端子の湾曲端が絶縁シート前方の接続空間内に収容された電気モジュールを具えたコネクタにおいて、
端子シートにフレームが位置決めされ、且つ端子シートとフレーム間に収容空間が形成されて該収容空間に電気モジュールが収容され、電気モジュールが収容空間に収容された後に、樹脂を利用して電気モジュールが端子シートの回路板に強固に位置決めされたことを特徴とする、電気モジュールを具えたコネクタ。
【請求項２】
請求項１記載の電気モジュールを具えたコネクタにおいて、フレームの後側に挿入シートが垂直に設けられ、且つ挿入シートにあり溝が設けられ、端子シートの後側にドブテール形の係止部が設けられ、端子シートの係止部が挿入シートのあり溝内に位置決めされたことを特徴とする、電気モジュールを具えたコネクタ。
【考案の詳細な説明】
【技術分野】
【０００１】
本考案は一種の電気モジュールを具えたコネクタに係り、特に、絶縁シートの端子シートにフレームが位置決めされ、且つ端子シートとフレームの間に収容空間が形成されて、電気モジュールが収納され並びに強固な位置決めが形成された電気モジュールを具えたコネクタに関する。
【背景技術】
【０００２】
現在コンピュータテクノロジーは急速に発展し、デスクトップ型コンピュータ或いはノートブック型コンピュータは既に社会の各所に普通に存在し、使用者が情報を獲得したり或いは文献データを伝送したい時、いずれもコンピュータをネットワークに接続して作業を行なうことができる。さらにネットワークで情報を送受する時、迅速で国境のない特性から、生活における個人及び会社が配備を必要とする資源の一つとなっている。ゆえに、コンピュータにはネットワークコネクタと接続使用されるコネクタを設ける必要があり、このようなネットワーク用のコネクタのほとんどはＲＪ４５形式が主流であるが、このようなコネクタとネットワーク電話の接続コネクタの間には経常的な抜き差し動作が必要であるため、損壊したり異なる伝送状態を現出させたい時には、コネクタ前方の可視面に発光ダイオードを設置してデータ認識に供している。また、ＲＪ４５コネクタはその他の電気設備の高周波電波により干渉を受けやすく、且つ自身の信号も外部の伝送線中に発生する雑音の影響を受けやすく、このため信号の中断や微弱となり過ぎる状況が発生する。ゆえにコネクタの外表を金属シールドケースで被覆するか或いはコネクタ内部にろ波モジュールを設けることでこのような欠点を解決する必要がある。ろ波モジュールを具えたコネクタにおいては、図７の周知の技術の立体分解図に示されるように、接続シートＢ及び挿入シートＤで組成された端子シートが絶縁シートＡ内に嵌め込まれ、端子シート中の接続シートＢ及び挿入シートＤの複数の端子Ｂ１、Ｄ１は直接回路板Ｃに半田付けされ、回路板Ｃの後側にろ波モジュールＣ１が結合されている。このようなコネクタの組立時は、ろ波モジュールＣ１が固定或いは制限機構を有さないため、樹脂注入してろ波モジュールＣ１を回路板Ｃに位置決めする時、ろ波モジュールＣ１が分散して樹脂注入作業を行ないにくく、且つ樹脂注入完成後のろ波モジュールＣ１を回路板Ｃ中央に集中させることができず、ろ波モジュールＣ１が回路板Ｃ上のその他の回路或いは電子装置に接触して短絡を形成しやすくなる。さらに、組立完成したコネクタのろ波モジュールＣ１に遮蔽機構がないため、ろ波モジュールＣ１がコネクタの表面に露出する。ゆえに、使用者がコネクタを取り付けたりコネクタ周辺に他の電子装置を取り付ける時、取り付け過程で不注意からろ波モジュールＣ１に接触して損壊や脱落を形成しやすい。
【考案の開示】
【考案が解決しようとする課題】
【０００３】
本考案の主要な目的は、絶縁シートの端子シートにフレームを位置決めし、且つ端子シートとフレームの間に収容空間を形成し、並びに収容空間内に電気モジュールを収納し、電気モジュールを収容空間に収納した後に樹脂を注入して電気モジュールを強固に位置決めし、並びにフレームにより遮蔽と固定の機能を達成することにある。
【０００４】
本考案の次の目的は、各部品間の妥当なレイアウトと構造設計により、組立後に簡単に取り外しリワークできるようにする効果を達成することにある。
【課題を解決するための手段】
【０００５】
請求項１の考案は、絶縁シートの取り付け空間内に端子シートが収容され、端子シートの前方に湾曲状を呈する複数の接続端子が通され、且つ接続端子の湾曲端が絶縁シート前方の接続空間内に収容された電気モジュールを具えたコネクタにおいて、
端子シートにフレームが位置決めされ、且つ端子シートとフレーム間に収容空間が形成されて該収容空間に電気モジュールが収容され、電気モジュールが収容空間に収容された後に、樹脂を利用して電気モジュールが端子シートの回路板に強固に位置決めされたことを特徴とする、電気モジュールを具えたコネクタとしている。
請求項２の考案は、請求項１記載の電気モジュールを具えたコネクタにおいて、フレームの後側に挿入シートが垂直に設けられ、且つ挿入シートにあり溝が設けられ、端子シートの後側にドブテール形の係止部が設けられ、端子シートの係止部が挿入シートのあり溝内に位置決めされたことを特徴とする、電気モジュールを具えたコネクタとしている。
【考案の効果】
【０００６】
本考案の長所は、端子シートにフレームを位置決めでき、且つ端子シートとフレームの間に収容空間を形成し、並びに収容空間内に電気モジュールを収容し、電気モジュールを収容空間内に収容した後に、更に樹脂を利用して端子シートの回路板と位置決めを形成することで、以上の部品の組立に便利とし、組立を快速とし、位置決めを強固とし且つ保護、遮蔽の機能を具備させられることにある。
【０００７】
総合すると、本考案の電気モジュールを具えたコネクタは、確実にその機能と目的を達成し、実用性に優れた考案であり、実用新案登録の要件を具備している。
【考案を実施するための最良の形態】
【０００８】
図１、２、３は本考案の立体分解図、端子シートと絶縁シートの立体分解図及び端子シートと絶縁シートの立体外観図である。本考案は絶縁シート１及び端子シート２、フレーム３及び電気モジュール４で組成されている。
【０００９】
該絶縁シート１の前方に接続空間１１が設けられ、並びに接続空間１１より離れた別側に取り付け空間１２が形成されている。
【００１０】
該端子シート２の前方に湾曲端２１１を具えた接続端子２１が通され、並びに接続端子２１より離れた別側表面にドブテール形の係止部２２が延設され、且つ係止部２２の表面に弾性フック２２１が凸設されている。
【００１１】
さらに、上述の端子シート２の表面に複数の位置決め柱２３が凸設され、並びに回路板２４の貫通孔２４１に通され、且つ端子シートの両側前端にフック２５が凸設されている。
【００１２】
該フレーム３の後側に垂直に挿入シート３１が設けられ、且つ挿入シート３１にあり溝３１１が設けられ、あり溝３１１内に係止部３１１１が凸設されている。さらに、上述のフレーム３の両側壁面外縁にガイドレール３２が凸設されている。
【００１３】
該電気モジュール４はコンデンサとろ波器を具えている。
【００１４】
図４、５、６は本考案の組合せ前の側面断面図、組合せ時の側面断面図、組合せ後の側面断面図である。以上の部品を組み合わせる時は、まず電気モジュール４を端子シート２の回路板２４表面に置き、続いてフレーム３を挿入シート３１に設けられたあり溝３１１に端子シート２の係止部２２を整合させて下向きに圧入し、これによりフレーム３の挿入シート３１に設けられたあり溝３１１に端子シート２の係止部２２を係合させ、続いてフレーム３を下圧することで、端子シート２の係止部２２表面の弾性フック２２１をあり溝３１１内に凸設された係止部３１１１に係合させて位置決めする。この時、上述のフレーム３底縁は端子シート２の回路板２４表面に支持され、且つフレーム３と端子シート２の回路板２４の間に収容空間５が形成され、この収容空間５に回路板２４表面の電気モジュール４が収容され並びに遮蔽状態が形成される。続いて、使用者が収容空間５内の電気モジュール４に対して樹脂を注入し、電気モジュール４を収容空間５内に強固に位置決めし、並びにフレーム３を利用して電気モジュール４に遮蔽効果を提供する。さらに、上述の端子シート２、フレーム３及び電気モジュール４の組立完成後に、端子シート２を絶縁シート１の取り付け空間１２内に挿入し、並びに端子シート２の接続端子２１の湾曲端２１１を絶縁シート１前方の接続空間１１内に収容し、位置決めする。
【００１５】
本考案の上述の部品の組立方式は本考案の好ましい実施例に過ぎず、請求範囲を限定するものではない。且つ実際の使用時には個別のＲＪ−４５或いはＲＪ−１１コネクタに応用可能である。本考案の請求範囲の記載に基づきなしうる細部の修飾或いは変化は、いずれも本考案の請求範囲に属するものとする。
【図面の簡単な説明】
【００１６】
【図１】本考案の立体分解図である。
【図２】本考案の端子シートと絶縁シートの立体分解図である。
【図３】本考案の端子シートと節煙シートの立体外観図である。
【図４】本考案の組合せ前の側面断面図である。
【図５】本考案の組合せ時の側面断面図である。
【図６】本考案の組合せ後の側面断面図である。
【図７】周知の技術の立体分解図である。
【符号の説明】
【００１７】
１  絶縁シート
１１  接続空間                          １２  取り付け空間
２  端子シート
２１  接続端子                          ２３  位置決め柱
２１１  湾曲端                          ２４  回路板
２２  係止部                            ２４１  貫通孔
２２１  弾性フック
３  フレーム
３１  挿入シート                        ３１１１  係止部
３１１  あり溝                          ３２  ガイドレール
４  電気モジュール
５  収容空間
Ａ  絶縁シート
Ｂ  接続シート
Ｂ１  端子
Ｃ  回路板
Ｃ１  ろ波モジュール
Ｄ  挿入シート
Ｄ１  端子
【図１】
0003103954.tif 000003
【図２】
0003103954.tif 000004
【図３】
0003103954.tif 000005
【図４】
0003103954.tif 000006
【図５】
0003103954.tif 000007
【図６】
0003103954.tif 000008
【図７】
0003103954.tif 000009